(57)【特許請求の範囲】
【請求項１】
洗面化粧台のキャビネット内には、棚板を載せる係止片が突設されるとともに、下部にコンセントが設けられ、
棚板は、係止片に係止させて取り付けることができるようになされた適宜の厚みを有する板状に形成され、その半分または全体に、電磁誘導充電式の電気機器類を複数収納することができる収納凹部が設けられ、この収納凹部の周壁内に、この収納凹部に収納される電磁誘導充電式の電気機器類の二次側コイルと電磁的に結合可能となされた一次側コイルが、収納凹部を囲繞するように設けられ、インバータ回路を介してＡＣコードに接続され、ＡＣコードの先端に設けられた電源プラグが、キャビネット内のコンセントに接続されてなり、
この収納凹部の周壁上には、一次側コイルが設けられた周壁に近い位置に偏心するとともに各種製造メーカーの電気機器類に応じた開口部を有する蓋体と、開口部が設けられていない蓋体とが設けられ、この開口部を介して収納凹部内に電気機器類を設けることで、一次側コイルの磁束密度の強い位置に電気機器類を納めて充電できるようになされたことを特徴とする洗面化粧台。
【請求項２】
開口部が設けられていない蓋体の代わりに充電の必要のない歯ブラシやカミソリを立てる小さな孔が設けられた蓋体が設けられた請求項１記載の洗面化粧台。
【発明の詳細な説明】
【０００１】
【発明の属する技術分野】
本発明は、洗面化粧台周辺で使用される電動歯ブラシや電気剃刀などの電磁誘導充電式の電気機器類の収納性に優れた棚板を有する洗面化粧台に関するものである。
【０００２】
【従来の技術】
一般に、洗面化粧台は、前面に設けられた鏡の背後や鏡の横に、歯ブラシ、コップ、整髪道具などを収納するためのキャビネットが設けられている。このうち、人が直接口にする歯ブラシやコップなどの物を収納するキャビネットには、前面に蓋が設けられており、キャビネット内に収納した物を衛生的に保つことができるようになされている。
【０００３】
しかし、電磁誘導充電による電動歯ブラシを使用している人の場合、電動歯ブラシと、この電動歯ブラシ用の充電スタンドと、この充電用の電源とを確保しなければならないので、キャビネット内に収納することができず、洗面所のカウンター横などにむき出しの状態で出しているのが現状である。
【０００４】
そこで、従来より、このようなキャビネット内に、充電アダプターを差し替え可能に設け、この充電アダプターを介して、電動歯ブラシ用の充電スタンドを設けるようにした洗面化粧台が提案されている。この洗面化粧台は、キャビネット内の充電スタンドに電動歯ブラシの本体を立てて充電しながら収納することができ、電動歯ブラシの歯ブラシ部分は、このキャビネット内の充電スタンド横に設けた歯ブラシ立てに収納できるようになされている（例えば、実開平５−４９８２号公報参照）。
【０００５】
【発明が解決しようとする課題】
しかし、充電アダプターを介して充電スタンドを設ける場合、例えば、四人家族で四人がそろって電動歯ブラシを使用するような場合、個々の電動歯ブラシに応じて充電スタンドを用意しなければならず、キャビネット内が充電スタンドだらけになってしまう。
【０００６】
また、電動歯ブラシの本体一本に対して歯ブラシ部分を差し替えて四人で使い回すことが考えられるが、電動歯ブラシは、起床後の所定時間に集中して使用されるので、使い回しに耐えうるだけの充電池の能力が確保できないといった不都合を生じることとなる。そのため、充電池自体を大きくすることが考えられるが、この場合、充電池の大型化によって電動歯ブラシ本体のグリップが大きくなったりするので使い勝手が悪くなってしまう。
【０００７】
また、上記従来のように、キャビネット内に充電アダプターを介して充電スタンドを設ける場合、充電スタンド自体が防水構造であっても、この充電スタンドを接続する充電アダプターとの間が充分に防水されない。したがって、電動歯ブラシや充電スタンド自体は、水に浸かってしまっても大丈夫なように構成されているが、このような濡れた電動歯ブラシを充電スタンドに立てると、水の滴が充電アダプターなどの部分に伝って漏電してしまうといった不都合を生じることとなる。
【０００８】
本発明は、係る実情に鑑みてなされたものであって、充電スタンドを使用することなく、キャビネットに収納した電磁誘導充電式の電気機器類を充電することができる棚板を有する洗面化粧台を提供することを目的としている。
【０００９】
【課題を解決するための手段】
上記課題を解決するための本発明の洗面化粧台は、洗面化粧台のキャビネット内には、棚板を載せる係止片が突設されるとともに、下部にコンセントが設けられ、棚板は、係止片に係止させて取り付けることができるようになされた適宜の厚みを有する板状に形成され、その半分または全体に、電磁誘導充電式の電気機器類を複数収納することができる収納凹部が設けられ、この収納凹部の周壁内に、この収納凹部に収納される電磁誘導充電式の電気機器類の二次側コイルと電磁的に結合可能となされた一次側コイルが、収納凹部を囲繞するように設けられ、インバータ回路を介してＡＣコードに接続され、ＡＣコードの先端に設けられた電源プラグが、キャビネット内のコンセントに接続されてなり、この収納凹部の周壁上には、一次側コイルが設けられた周壁に近い位置に偏心するとともに各種製造メーカーの電気機器類に応じた開口部を有する蓋体と、開口部が設けられていない蓋体とが設けられ、この開口部を介して収納凹部内に電気機器類を設けることで、一次側コイルの磁束密度の強い位置に電気機器類を納めて充電できるようになされたものである。
【００１０】
また、上記課題を解決するための本発明の洗面化粧台は、上記開口部が設けられていない蓋体の代わりに充電の必要のない歯ブラシやカミソリを立てる小さな孔が設けられた蓋体が設けられたものである。
【００１１】
この構成により、収納凹部に設けられた蓋体の開口部を介して収納凹部内に電気機器類を設けることで、一次側コイルの磁束密度の強い位置に各種製造メーカーの複数の電気機器類を納めて充電することができる。
【００１２】
【発明の実施の形態】
以下、本発明の実施の形態を図面を参照して説明する。
【００１３】
図１は棚板１の全体構成の概略を示し、図２は同棚板１を洗面化粧台２のキャビネット２１に設けた状態を示し、図３および図４はキャビネット２１に設けた棚板１に電動歯ブラシ３や電気カミソリ４などを収納した状態を示している。
【００１４】
すなわち、この棚板１は、棚板１に形成された収納凹部１０に、複数の電動歯ブラシ３や電気カミソリ４などを収納して充電できるようになされている。
【００１５】
洗面化粧台２は、前面の鏡２２が開き戸になっていて、その内側にキャビネット２１が形成されている。キャビネット２１は、内部の下側および外部の下側にコンセント２３が設けられている。
【００１６】
キャビネット２１は、その内部に、棚板１を乗せる係止片２４が突設されている。
【００１７】
棚板１は、適宜の厚みを有する板状に形成され、上記キャビネット２１の係止片２４に係止させて取り付けることができるようになされている。この棚板１の約半分は、収納凹部１０が設けられている。
【００１８】
この収納凹部１０は、板部１０ａの周縁から周壁１０ｂが立ち上げられて形成されている。この周壁１０ｂ内には、一次側充電コイル１２が設けられ、この一次側充電コイル１２は、収納凹部１０を囲繞するようになされている。この一次側充電コイル１２は、インバータ回路１３を介してＡＣコード１４に接続するようになされている。このＡＣコード１４は、棚板１の外部に導出され、その先端部に電源プラグ１５が設けられている。この電源プラグ１５をキャビネット２１内の下側に設けたコンセント２３に接続すると、インバータ回路１３が起動して一次側充電コイル１２は、高周波駆動するようになされている。この収納凹部１０の奥行きの内寸Ｄは、この洗面化粧台１の周辺で使用される電気歯ブラシ３や電気カミソリ４などの電磁誘導充電式の電気機器類が納まる外径となされている。すなわち、電気歯ブラシ３や電気カミソリ４などは、製造メーカーが異なっていても、手で持って使用するものであるから、手の大きさを基準に外径などがデザインされている。したがって、収納凹部１０の奥行きの内寸Ｄは、最大でも約５０ｍｍ程度の大きさを確保すれば、各種製造メーカーの電磁誘導充電式の電気機器類が納められると考えられる。
【００１９】
電気歯ブラシ３は、本体３１上にブラシ３２が装着されている。本体３１は、底部に二次側充電コイル３３が設けられており、その上方に充電池３４が設けられている。この電動歯ブラシ３は、スイッチ（図示省略）のオンオフで充電池３３からの電源がモータ（図示省略）に供給され、このモータが駆動機構（図示省略）を介してブラシ３２を駆動するようになされている。
【００２０】
電気カミソリ４は、本体４１の上部に刃４２が設けられている。本体４１は、上記電気歯ブラシ３と同様に、底部に二次側充電コイル４１が設けられている。
【００２１】
この棚板１は、一次側充電コイル１２を高周波駆動することで、この一次側充電コイル１２の周縁に高周波磁界が発生する。したがって、電動歯ブラシ３や電気カミソリ４は、収納凹部１０内に収納しておけば、これら電動歯ブラシ３の二次側充電コイル３３や電気カミソリ４の二次側充電コイル４１が、一次側充電コイル１２の高周波磁界の領域内に位置して電磁的に結合し、充電が行われることとなる。
【００２２】
ただし、一次側充電コイル１２から発生される高周波磁界の磁束密度は、この一次側充電コイル１２に近い程強く、離れる程すなわち収納凹部１０の中央部程弱くなる。したがって、各種製造メーカーの電磁誘導充電式の電気機器類が納められるように、収納凹部１０の奥行きの内寸Ｄを大きくすると、この収納凹部１０に収納される電気機器類との隙間が大きくなる場合を生じる。このような場合、これらの電気機器類は、一次側充電コイル１２が設けられた周壁１０ｂに近い位置で収納凹部１０内に設けることが、充電効率を良くするためには良い。
【００２３】
したがって、収納凹部１０の周壁１０ｂ上には、これら電動歯ブラシ３や電気カミソリ４を保持する蓋体５を設けることが好ましい。この蓋体５は、収納凹部１０の中央よりも周壁１０ｂに近い位置に偏心して開口部５０が設けられている。開口部５０の形状は、電動歯ブラシ３や電気カミソリ４などの各種製造メーカーに応じて用意したものを使用する。蓋体５は、収納凹部１０に収納する電気機器類に応じて選択したそれぞれの蓋体５を収納凹部１０の周壁１０ｂ上に被せて設けられる。電動歯ブラシ３や電気カミソリ４は、この開口部５０を介して収納凹部１０内に設けることで、上記したような充電効率が低下することを回避することができる。図１（ａ）に示すように、このような電動歯ブラシ３や電気カミソリ４などの電磁誘導充電式の電気機器類を収納して残った余剰の収納凹部１０には、このような開口部５０が設けられていない蓋体６を設けてその上に化粧品６１などを設けるようにしてもよいし、図１（ｂ）に示すように、充電の必要のない通常の歯ブラシ７１やカミソリ７２などを立てる小さな孔７０が設けられた蓋７を設けてもよい。
【００２４】
なお、本実施の形態では、棚板１は、キャビネット２１の内部の下側に設けたコンセント２３に電源プラグ１５を差し込むことによって電気的に接続するようになされているが、このコンセント２３はキャビネット２１内の何処の位置に設けられていてもよい。また、キャビネット２１の外側に設けられたコンセント２３に電源プラグ１５をさし込んで電気的に接続してもよい。さらに、このような電源プラグ１５を設けることなく、はじめから洗面化粧台２のキャビネット２１内に組み込まれて電気的に接続されたものであってもよい。
【００２５】
また、本実施の形態では、棚板１は、約半分に収納凹部１０が形成されているが、全体的に収納凹部１０が形成されたものであってもよい。
【００２６】
さらに、棚板１は、洗面化粧台２のキャビネット２１内に収納するようになされたものに限定されるものではなく、図５に示すように、鏡２２と洗面台２５とが別になっているような場合には、壁面に直接取り付けるようになされた棚板１であってもよい。ただし、この場合、収納凹部１０には、この収納凹部１０に収納される電気歯ブラシ３や電気カミソリ４などを被覆するカバー材１６を設けることが好ましい。
【００２７】
【発明の効果】
以上述べたように、本発明によると、収納凹部に設けられた蓋体の開口部を介して収納凹部内に電気機器類を設けることで、一次側コイルの磁束密度の強い位置に複数の電気機器類を納めて充電することができるので、複数の充電スタンドをタコ脚配線することもなく、キャビネット内に配置した棚板に綺麗に納めることができる。また、開口部は、各種製造メーターの電気機器類に応じて周壁に近い位置に偏心して開口しているので、各種メーカーの電気機器類であっても、充電効率が低下することを回避して充電することができる。
【図面の簡単な説明】
【図１】  （ａ）は本発明に係る洗面化粧台の棚板の使用状態を示す部分拡大斜視図、（ｂ）は同棚板の他の使用状態を示す部分拡大分解斜視図である。
【図２】  本発明に係る洗面化粧台の斜視図である。
【図３】洗面化粧台に設けた棚板に電動歯ブラシを収納した状態を示す部分断面図である。
【図４】洗面化粧台に設けた棚板に電気カミソリを収納した状態を示す部分断面図である。
【図５】本発明に係る他の棚板の使用状態を示す斜視図である。
【符号の説明】
１  棚板
１０  収納凹部
１２  一次側充電コイル
１６  カバー材
２  洗面化粧台
２１  キャビネット
２３  コンセント
３  電動歯ブラシ（電気機器）
３３  二次側充電コイル
４  電気カミソリ（電気機器）
４３  二次側充電コイル
【図１】
0003842007.tif 000002
【図２】
0003842007.tif 000003
【図３】
0003842007.tif 000004
【図４】
0003842007.tif 000005
【図５】
0003842007.tif 000006